(57)【特許請求の範囲】
【請求項１】
第１のハウジングと、前記第１のハウジング内の第１の端子とを有する第１のコネクタと、
第２のハウジングと、前記第２のハウジング内の第２の端子とを有する第２のコネクタと、を有し、
前記第１のコネクタと前記第２のコネクタとが嵌合したとき、前記第１の端子と前記第２の端子とが互いに接触して電気的に接続される電気コネクタであって、
前記第１のコネクタは、片持ちバネ状のロック片を備え、前記ロック片は、前記第１のハウジングに連結された連結部と、前記第１及び第２のコネクタの嵌合方向に対して垂直な方向に変位可能な自由端部と、前記連結部と前記自由端部との間に設けられたロック突部とを有し、
前記第２のコネクタは、前記第２のハウジングの壁部にロック孔を有し、前記第１及び第２のコネクタの嵌合時に、前記ロック突部が前記ロック孔に嵌り込んで一次ロックされるように構成され、
さらに、前記第１のコネクタは、前記第１のハウジングの一部を包囲するように構成された筒状のホルダを備え、
前記ホルダは、前記一次ロック時に、前記ロック片の前記自由端部の変位を規制して二次ロックするための規制部を備え、前記規制部は、前記二次ロック時に、前記第１のハウジングの外壁と前記自由端部との間に位置し、前記二次ロックの解除時に、前記第１のハウジングの外壁と前記自由端部との間に位置しないように移動可能であり、
さらに、前記第１のコネクタは、前記第１のハウジングの壁部に、前記第１の端子の一部を外部に露出するための第１の孔を有し、前記第１の孔は、前記ロック片から離間した位置であって、前記第１の端子の一部と重なる位置に配置され、
前記ホルダの前記規制部は、切欠き又は第２の孔を有し、前記切欠き又は前記第２の孔は、前記二次ロック時に前記第１の孔と重ならないように、かつ、前記二次ロックの解除時に前記第１の孔と重なるように配置されている、ことを特徴とする電気コネクタ。
【請求項２】
前記ホルダは、前記第１のハウジングの外壁に沿って前記嵌合方向に移動可能である、ことを特徴とする請求項１に記載の電気コネクタ。
【請求項３】
前記切欠き又は前記第２の孔の口径は、１〜５ｍｍであることを特徴とする請求項１又は２に記載の電気コネクタ。
【請求項４】
ハウジングと、前記ハウジング内の端子とを有し、
相手側コネクタと嵌合したとき、前記相手側コネクタの端子と自身の前記端子とが互いに接触して電気的に接続される電気コネクタであって、
前記電気コネクタは、片持ちバネ状のロック片を備え、前記ロック片は、前記ハウジングに連結された連結部と、前記電気コネクタの嵌合方向に対して垂直な方向に変位可能な自由端部と、前記連結部と前記自由端部との間に設けられたロック突部とを有し、
前記ロック突部は、前記電気コネクタ及び前記相手側コネクタの嵌合時に、前記相手側コネクタに設けられたロック孔に嵌り込んで一次ロックされるように構成され、
さらに、前記電気コネクタは、前記ハウジングの一部を包囲するように構成された筒状のホルダを有し、
前記ホルダは、前記一次ロック時に、前記ロック片の前記自由端部の変位を規制して二次ロックするための規制部を備え、前記規制部は、前記二次ロック時に、前記ハウジングの外壁と前記自由端部との間に位置し、前記二次ロックの解除時に、前記ハウジングの外壁と前記自由端部との間に位置しないように移動可能であり、
さらに、前記電気コネクタは、前記ハウジングの壁部に、前記端子の一部を外部に露出するための第１の孔を有し、前記第１の孔は、前記ロック片から離間した位置であって、前記端子の一部と重なる位置に配置され、
前記ホルダの前記規制部は、切欠き又は第２の孔を有し、前記切欠き又は前記第２の孔は、前記二次ロック時に前記第１の孔と重ならないように、かつ、前記二次ロックの解除時に前記第１の孔と重なるように配置されている、ことを特徴とする電気コネクタ。
【請求項５】
前記ホルダは、前記ハウジングの外壁に沿って前記嵌合方向に移動可能である、ことを特徴とする請求項４に記載の電気コネクタ。
【請求項６】
前記切欠き又は前記第２の孔の口径は、１〜５ｍｍであることを特徴とする請求項４又は５に記載の電気コネクタ。
【発明の詳細な説明】
【技術分野】
【０００１】
本発明は、電気コネクタに関し、特に、コネクタ同士の嵌合が外れるのを防止する二重ロック機構を備えた電気コネクタに関する。
【背景技術】
【０００２】
例えば、電源ラインなどの接続に使用される高安全性・高信頼性が要求される電気コネクタの場合、設備の保守・点検などの目的で、電線の導通確認や電圧の測定を行う必要がある。このような電気コネクタの場合、感電防止や防水などのため、通常、導線がシール部材等で覆われている。そのため、電線の導通確認及び電圧測定を行うには、シール部材を取り除いたり、電気コネクタの嵌合を外したりして、端子を露出させて、測定器のプローブを端子に接触させて、導通確認や電圧測定を行わざるを得なかった。
【先行技術文献】
【特許文献】
【０００３】
【特許文献１】国際公開第２０１４／０６９２８５号パンフレット
【発明の概要】
【発明が解決しようとする課題】
【０００４】
しかし、シール部材を取り除いて導通確認や電圧測定を行う場合、シール部材を取り除いて導通確認や電圧測定を行った後、再びシール部材を取り付けなければならないため、大変手間がかかる。また、電気コネクタの構造によっては、シール部材を取り除くことができない場合もある。また、電気コネクタの嵌合を外して導通確認や電圧測定を行う場合、電気コネクタへの電力供給を一旦止めてから、導通確認や電圧測定を行う必要があり、電力を供給した状態で導通確認や電圧測定を行うことができなかった。
【０００５】
電気コネクタの嵌合を維持し、電力を供給した状態で、電線の導通確認や電圧測定を行う手段として、例えば、特許文献１に記載された技術がある。特許文献１に記載された技術は、電気コネクタのリアハウジングに、端子を外部に露出するための確認窓部と、その確認窓部を閉塞するための防水蓋と、その防水蓋を固定するための固定ボルトとを設け、導通確認や電圧測定を行う際に、固定ボルトを外して防水蓋を外し、確認窓部を開放し、確認窓部を介して端子を外部に露出させて、測定器のプローブを端子に接触させて導通確認や電圧測定を行うものである。しかし、このような技術の場合、固定ボルトや防水蓋を外すのに工具が必要であり、大変手間がかかる。また、高電圧・高電流の電源ラインでコネクタを使用する場合、ねじ止めは感電の危険性がある。また、電気コネクタを構成する部品点数も多くなってしまう。
【０００６】
本発明は、上記のような問題を解決するために、完成されたものであり、その目的は、電気コネクタに電力を供給した状態または電気コネクタ同士を嵌合させた状態で、容易に電線の導通確認や電圧測定を行うことができる電気コネクタを提供することにある。本発明の前記並びにその他の目的と新規な特徴は、本明細書の記述及び添付図面から明らかになるであろう。
【課題を解決するための手段】
【０００７】
本願において開示される発明のうち、代表的なものの概要を簡単に説明すれば、次のとおりである。すなわち、本発明に係る電気コネクタは、第１のハウジングと、前記第１のハウジング内の第１の端子とを有する第１のコネクタと、第２のハウジングと、前記第２のハウジング内の第２の端子とを有する第２のコネクタと、を有し、前記第１のコネクタと前記第２のコネクタとが嵌合したとき、前記第１の端子と前記第２の端子とが互いに接触して電気的に接続されるものである。
【０００８】
そして、前記第１のコネクタは、片持ちバネ状のロック片を備え、前記ロック片は、前記第１のハウジングに連結された連結部と、前記第１及び第２のコネクタの嵌合方向に対して垂直な方向に変位可能な自由端部と、前記連結部と前記自由端部との間に設けられたロック突部とを有し、前記第２のコネクタは、前記第２のハウジングの壁部にロック孔を有し、前記第１及び第２のコネクタの嵌合時に、前記ロック突部が前記ロック孔に嵌り込んで一次ロックするように構成され、さらに、前記第１のコネクタは、前記第１のハウジングの一部を包囲するように構成された筒状のホルダを有し、前記ホルダは、前記一次ロック時に、前記ロック片の前記自由端部の変位を規制して二次ロックするための規制部を備え、前記規制部は、前記二次ロック時に、前記第１のハウジングの外壁と前記自由端部との間に位置し、前記二次ロックの解除時に、前記第１のハウジングの外壁と前記自由端部との間に位置しないように移動可能である。さらに、前記第１のコネクタは、前記第１のハウジングの壁部に、前記第１の端子の一部を外部に露出するための第１の孔を有し、前記第１の孔は、前記ロック片から離間した位置であって、前記第１の端子の一部と重なる位置に配置され、前記ホルダの前記規制部は、切欠き又は第２の孔を有し、前記切欠き又は前記第２の孔は、前記二次ロック時に前記第１の孔と重ならないように、かつ、前記二次ロックの解除時に前記第１の孔と重なるように配置されている、ことを特徴とするものである。
【発明の効果】
【０００９】
本発明に係る電気コネクタは、電気コネクタに電力を供給した状態または電気コネクタ同士を嵌合させた状態で、容易に電線の導通確認や電圧測定を行うことができる。また、設備の保守・点検の作業性が良く、安全性が高い。
【図面の簡単な説明】
【００１０】
【図１】本発明の実施の形態による電気コネクタの全体構成を示す斜視図である。
【図２】本発明の実施の形態において、プラグコネクタからホルダを取り除いた構成を示す平面図である。
【図３】本発明の実施の形態において、プラグコネクタからホルダを取り除いた構成を示す断面図である。
【図４】本発明の実施の形態において、ホルダ単体の構成を示す斜視図である。
【図５】本発明の実施の形態において、電気コネクタ嵌合時の二重ロック（一次及び二次ロック）された状態（正規位置）を示す平面図である。
【図６】本発明の実施の形態において、プラグコネクタの二次ロックされた状態（正規位置）を示す断面図である。
【図７】本発明の実施の形態において、電気コネクタ嵌合時の二次ロックが解除された状態（リリース位置）を示す平面図である。
【図８】本発明の実施の形態において、プラグコネクタの二次ロックが解除された状態（リリース位置）を示す断面図である。
【図９】本発明の実施の形態において、プラグコネクタの二次ロックを解除して（リリース位置）、測定器のプローブを使用して導通確認又は電圧測定を行う様子を示す図である。
【図１０】本発明の他の実施の形態によるプラグコネクタの構成を示す正面図である。
【発明を実施するための形態】
【００１１】
以下、本発明の実施の形態を図面に基づいて詳細に説明する。なお、実施の形態を説明するための全図において、同一部材には原則として同一の符号を付し、その繰り返しの説明は省略する。
【００１２】
以下の実施の形態においては便宜上その必要があるときは、複数のセクションまたは実施の形態に分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１３】
まず、図１〜図４により、本発明の一実施形態による電気コネクタの構成を説明する。図１は、本発明の一実施形態による電気コネクタの全体構成を示す斜視図である。図２は、本実施形態によるプラグコネクタの構成例を示す平面図である（ホルダを取り除いた図）。図３は、本実施形態によるプラグコネクタの構成例を示す断面図である（ホルダを取り除いた図）。図４は、ホルダ単体の構成を示す斜視図である。本実施形態に係る電気コネクタは、例えば、電源ライン等の連結に使用される電気コネクタであって、図１に示すように、プラグコネクタ（第１のコネクタ）１００、レセプタクルコネクタ（第２のコネクタ）２００などから構成される。
【００１４】
プラグコネクタ１００は、筒状のハウジング１０２、ハウジング１０２の上部に設けられた片持ちバネ状のロック片１０４、ハウジングの一部を包囲するように構成された筒状のホルダ１０６、ハウジング１０２内に収容された電気接続用の金属製の端子（第１の端子）１０８、端子１０８に接続されたケーブル１１０などから構成される。
【００１５】
ハウジング１０２は、筒状であり、その内部に、端子１０８が固定されており、この端子１０８にはケーブル１１０が結線されている。ハウジング１０２の上部（ロック片１０４側）の壁面には、ロック片１０４の操作部１１４に隣接・離間して、端子１０８の一部を外部に露出するための長方形のプローブ用孔（第１の孔）１４６が設けられている。すなわち、プローブ用孔１４６は、コネクタの嵌合方向（軸方向）において、ロック片１０４から離間した位置（ロック片１０４とは重ならない位置）であって、端子１０８の一部（ケーブル１１０と連結される部分）と重なる位置に配置されている。したがって、プローブ用孔１４６を通して、ハウジング１０２の外部から端子１０８の一部が見えるようになっている。
【００１６】
また、ハウジング１０２の外側の壁面には、軸方向に沿って、キー溝１１８が設けられ、コネクタを嵌合するときに、レセプタクルコネクタ２００のキー突起２１４と嵌合し、位置決め又はガイドの役目を果たす。ハウジング１０２のホルダ１０６が取り付けられる部分には、正規位置の凹部及びリリース位置の凹部が設けられ、ホルダ１０６の内壁に設けられた突起１２６が、ホルダ１０６のスライド移動時に正規位置の凹部又はリリース位置の凹部に嵌り込み、正規位置の凹部（二次ロック時）とリリース位置の凹部（二次ロック解除時）の間で移動するようになっている。また、ハウジング１０２のホルダ１０６が取り付けられる部分には、ホルダの抜け止め用の突起１２８が設けられており、ホルダ１０６を引き抜こうとしたときに、ホルダ１０６の長孔１３０の壁１３２に当たって止まるようになっている。さらに、ハウジング１０２のホルダ１０６が取り付けられる部分には、軸方向に沿ってガイド突起１４０が設けられており、ホルダ１０６の内壁に設けられたキー溝１４２と嵌合して、正規位置とリリース位置との間のホルダ１０６の移動をスムーズにするとともに、ホルダ１０６のハウジング１０２に対する回転を規制している。
【００１７】
ロック片１０４は、ハウジング１０２の嵌合側上部に連結された連結部１１２、連結部１１２と反対側先端の操作部（自由端部）１１４、連結部１１２と操作部１１４の間の中央付近の上部にハウジング１０２と反対方向側に向けて突出するように設けられた２つのロック突部１１６などから構成される。ロック突部１１６は嵌合側が斜面に、反対側が垂直面として形成されている。操作部１１４は、連結部１１２を支点としてコネクタの嵌合方向（軸方向）に対して垂直な方向（上下方向）に変位可能である。また、ロック片１０４は、操作部１１４が固定されているときに、ロック突部１１６が設けられている中央付近に所定以上の力が加わったときに撓むようになっている。
【００１８】
ホルダ１０６は、筒状であり、ハウジング１０２の外側に包囲するように取り付けられる。ホルダ１０６は、軸方向（嵌合方向）にスライド移動可能に取り付けられる。図１のホルダ１０６の位置は、正規位置の状態（二次ロック時）である。また、ホルダ１０６には、その上部に、ロック片１０４の両側に沿って２つのガイド壁１３８が設けられている。ガイド壁１３８は、ロック片１０４の操作部１１４を保護し、不意に物や手などが触れて操作部１１４が変位してしまうことを防止するとともに、操作部１１４とハウジング１０２の外壁との間にケーブルなどが入り込み操作部１１４を操作不能になってしまうことを防止している。また、ホルダ１０６には、ハウジング１０２の突起１２８が嵌るように長孔１３０が設けられている。長孔１３０の両側には、切込み（スリット）１３４が設けられているので、この部分は可撓性を有し、ホルダ１０６のハウジング１０２への取り付け時に、突起１２８に当たった場合、若干撓むようになっている。さらに、両ガイド壁１３８の間には、ホルダ１０６を軸方向にスライド操作するためのホルダ操作部１４４が設けられており、特に正規位置（二次ロック時）からリリース位置（二次ロック解除時）への操作の際に適するようにケーブル側に向けて傾斜面として形成されている。
【００１９】
ホルダ１０６は、コネクタ嵌合の一次ロック時に、ロック片１０４の操作部１１４の変位を規制して二次ロックするための規制部１３６を上部（本実施形態では、２つのガイド壁１３８の間）に備え、規制部１３６は、二次ロック時に、ハウジング１０２の外壁と操作部１１４との間に位置し、二次ロック解除時に、ハウジング１０２の外壁と操作部１１４との間に位置しないように移動可能である。すなわち、ホルダ１０６がハウジング１０２の外壁に沿って軸方向に移動し、二次ロック時に、ロック片１０４の操作部１１４の下側に規制部１３６が入り込み、操作部１１４を上から押しても、操作部１１４は規制部１３６に衝突することによりその衝突箇所以上は下方に動かない。このとき、ホルダの突起１２６が、ハウジングの正規位置の凹部に嵌り込んでいる状態である。そして、二次ロック解除時は、ホルダ１０６がハウジング１０２の外壁に沿って軸方向外側に移動し、規制部１３６が、ロック片１０４の操作部１１４の下側から抜け出て、操作部１１４を上から押したとき、操作部１１４はハウジング１０２の外壁箇所まで下方に移動可能である。このとき、ホルダの突起１２６が、ハウジングのリリース位置の凹部に嵌り込んでいる状態である。
【００２０】
また、ホルダ１０６は、規制部１３６の端部中央付近にプローブ用切欠き１４８を備えている。プローブ用切欠き１４８は、二次ロック時（正規位置）にプローブ用孔１４６と重ならないように、かつ、二次ロック解除時（リリース位置）にプローブ用孔１４６と重なるような位置に配置されている。なお、プローブ用切欠き１４８は、切欠きの代わりに、円形状、楕円形上、矩形状などの孔であってもよい。また、プローブ用切欠き１４８（又は孔）の口径の大きさは、測定器のプローブが貫通することができるようにプローブの先端部の太さによって決まるが、１〜５ｍｍ、好ましくは２〜４ｍｍである。
【００２１】
レセプタクルコネクタ２００は、筒状のハウジング（第２のハウジング）２０２、ハウジング２０２内に収容された電気接続用の金属製の端子（第２の端子）２０４、フランジ２０６、ハウジング２０２の上部壁部（ロック壁２２０）に設けられた２つのロック孔２０８などから構成される。ロック孔２０８は、コネクタ嵌合時に、プラグコネクタ１００のロック突部１１６が嵌り込んで一次ロックされ、コネクタの離脱を防止するものである。ハウジング２０２は、その内側の嵌合方向（図１の右側）に嵌合部２１６（嵌合空間２１８）を有し、プラグコネクタ１００のハウジング１０２が挿入して嵌合するようになっている。また、嵌合部２１６のハウジング２０２の内壁には、ハウジング１０２のキー溝１１８と嵌合するキー突起２１４が設けられている。また、レセプタクルコネクタ２００は、コネクタ設置の際、フランジ２０６に設けられた孔（図示せず）を利用して、パネル２１０にねじ２１２で固定される。
【００２２】
プラグコネクタ１００及びレセプタクルコネクタ２００の嵌合時は、プラグコネクタ１００のハウジング１０２の一部が、レセプタクルコネクタ２００のハウジング２０２内に挿入され、ハウジング同士が嵌合することにより、プラグコネクタ１００の端子１０８と、レセプタクルコネクタ２００の端子２０４が接触し、電気的に接続される。また、ハウジング１０２、ハウジング２０２、ロック片１０４、ホルダ１０６は、例えば、プラスティック等の絶縁性樹脂の材料を一体成型して作製される。
【００２３】
次に、図５〜図９により、電気コネクタが嵌合されている状態において、測定器のプローブ１５０を端子１０８に接触させて、電気コネクタの導通確認又は電圧測定を行う方法を説明する。図５は、本発明の実施の形態において、電気コネクタ嵌合時の二重ロック（一次及び二次ロック）された状態（正規位置）を示す平面図である。図６は、本発明の実施の形態において、プラグコネクタの二次ロックされた状態（正規位置）を示す断面図である。図７は、本発明の実施の形態において、電気コネクタ嵌合時の二次ロックが解除された状態（リリース位置）を示す平面図である。図８は、本発明の実施の形態において、プラグコネクタの二次ロックが解除された状態（リリース位置）を示す断面図である。図９は、本発明の実施の形態において、プラグコネクタの二次ロックを解除して（リリース位置）、測定器のプローブを使用して導通確認又は電圧測定を行う様子を示す図である。
【００２４】
図５及び図６に示すように、電気コネクタの嵌合時において、二重ロック（一次及び二次ロック）されているときは、ロック片１０４とハウジング１０２の間に規制部１３６が存在するため、操作部１１４を下方に押しても、規制部１３６により、その変位が規制され、ロック片１０４は、ほとんど変形しないので、ロック突部１１６がロック孔２０８に嵌り込んだ状態（一次ロック）を維持する。そのため、電気コネクタの抜去、すなわち嵌合が外れることは、不可能になる。このとき、ホルダ１０６は正規位置にあり、プローブ用切欠き１４８は、ロック片１０４により塞がれており、外部から見ることができない。また、図６に示すように、このとき、ホルダ１０６のプローブ用切欠き１４８とハウジング１０２のプローブ用孔１４６は、重なることなく、ずれて位置しており、プローブ用孔１４６はホルダ１０６によって覆われ、外部から見ることができない。
【００２５】
測定器のプローブを使用して導通確認又は電圧測定を行う場合は、図７〜図９に示すように、ケーブル１１０側（図７〜図９の右側）へ、ホルダ１０６をリリース位置までスライド移動させて、二次ロックを解除する。このとき、規制部１３６及びプローブ用切欠き１４８は、操作部１１４の下から逃れて、ハウジング１０２の外壁と操作部１１４との間に位置しなくなる。ホルダ１０６がリリース位置にあるとき、ホルダ１０６の突起１２６が、ハウジング１０２のリリース位置の凹部に嵌っている状態である。このとき、図８に示すように、ホルダ１０６のプローブ用切欠き１４８とハウジング１０２のプローブ用孔１４６が重なり、端子１０８の一部が外部から見えるようになる。そして、この状態で、図９に示すように、測定器（図示せず）のプローブ１５０を、プローブ用切欠き１４８及びプローブ用孔１４６を通して、端子１０８の一部に接触させて、導通確認又は電圧測定を行う。
【００２６】
したがって、本実施の形態の電気コネクタによれば、電気コネクタ嵌合時に二重ロックを確実に行うことができ、電気コネクタの導通確認又は電圧測定を行う場合は、ホルダをリリース位置までスライド移動させて二次ロックを解除することにより、一次ロックの状態を維持したまま端子の一部が外部から見えるようになるので、電気コネクタに電力を供給した状態で、容易に電線の導通確認や電圧測定を行うことができる。
【００２７】
図１０は、本発明の他の実施の形態によるプラグコネクタの構成を示す正面図である。図１０に示すように、本発明の他の実施の形態によるプラグコネクタ３００は、筒状のハウジング３０２、ハウジング３０２の上部に設けられた片持ちバネ状のロック片３０４、ハウジングの一部を包囲するように構成された筒状の回転式のホルダ３０６などから構成される。ロック片３０４は、前記実施の形態と同様に、連結部３１２、操作部（自由端部）３１４、連結部３１２と操作部３１４の間の中央付近の上部に設けられた２つのロック突部３１６などから構成される。ホルダ３０６は、筒状であり、ハウジング３０２の一部を包囲するように取り付けられる。ホルダ３０６は、ハウジング３０２の外周に沿って嵌合方向を軸として回転可能である。ホルダ３０６は、ロック片３０４側に舌状の規制部３３６を備え、ホルダ３０６の回転と一緒に、規制部３３６もハウジング３０２の外周に沿って回転する。そして、ホルダ３０６が正規位置にあるとき、規制部３３６が操作部３１４の下に入り込み、規制部３３６によって操作部３１４の下方への変位が規制され、ロックされる。図１０に示すように、ホルダ３０６がリリース位置にあるとき、規制部３３６が操作部３１４の下から外れ、操作部３１４の下方への変位が可能になり、二次ロックが解除される。また、ハウジング３０２の壁面側部には、端子の一部と重なる位置に、プローブ用孔３４６が設けられている。
【００２８】
以上、本発明者によってなされた発明をその実施の形態に基づき具体的に説明したが、本発明は前記実施の形態に限定されるものではなく、その要旨を逸脱しない範囲で種々変更可能であることはいうまでもない。例えば、筒状のホルダの表面にあわせるように、ロック片のうちホルダに当接する部分を曲面形状とすることもできる。また、ホルダを正規位置へと付勢する付勢手段（例えば、ハウジングとホルダとの間のバネ）を設けて該付勢手段の付勢力に抗して操作する場合のみホルダをリリース位置へ変位可能となるように変更することもできる。
【産業上の利用可能性】
【００２９】
本発明に係る電気コネクタは、産業用、業務用、家庭用など広く利用することができる。
【符号の説明】
【００３０】
１００  プラグコネクタ（第１のコネクタ）
１０２  ハウジング（第１のハウジング）
１０４  ロック片
１０６  ホルダ
１０８  端子（第１の端子）
１１０  ケーブル
１１２  連結部
１１４  操作部（自由端部）
１１６  ロック突部
１１８  キー溝
１２０  ガイド壁
１２６  突起
１２８  突起
１３０  長孔
１３２  長孔の壁
１３４  切込み
１３６  規制部
１３８  ガイド壁
１４０  ガイド突起
１４２  キー溝
１４４  ホルダ操作部
１４６  プローブ用孔（第１の孔）
１４８  プローブ用切欠き
１５０  プローブ
２００  レセプタクルコネクタ（第２のコネクタ）
２０２  ハウジング（第２のハウジング）
２０４  端子（第２の端子）
２０６  フランジ
２０８  ロック孔
２１０  パネル
２１２  ねじ
２１４  キー突起
２１６  嵌合部
２１８  嵌合空間
２２０  ロック壁
３００  プラグコネクタ（第１のコネクタ）
３０２  ハウジング（第１のハウジング）
３０４  ロック片
３０６  ホルダ
３１２  連結部
３１４  操作部（自由端部）
３１６  ロック突部
３１８  キー溝
３３６  規制部
３４６  プローブ用孔
【図１】
0006372026.tif 000002
【図２】
0006372026.tif 000003
【図３】
0006372026.tif 000004
【図４】
0006372026.tif 000005
【図５】
0006372026.tif 000006
【図６】
0006372026.tif 000007
【図７】
0006372026.tif 000008
【図８】
0006372026.tif 000009
【図９】
0006372026.tif 000010
【図１０】
0006372026.tif 000011